(57)【要約】      （修正有）【課題】インフォメーション推薦の効率及び時効性を向上させ、人件費を低減するとともに、インフォメーションを人力で収集することによる制限的規制を突破し、ビジネスバリューを向上させることを実現する。【解決手段】生成ユーザによって選択された少なくとも二つの単一インフォメーションを、統合される推薦インフォメーションとして取得する。生成ユーザのインフォメーション統合要求に基づいて、少なくとも二つの統合される推薦インフォメーションを組み合わせて、統合インフォメーションを構成してサーバにアップロードし、統合インフォメーションは、推薦情報としてサーバにより他のユーザに提供される。【選択図】図１
2019164748.tif 000002
【特許請求の範囲】
【請求項１】
統合インフォメーションの生成方法であって、
生成ユーザによって選択された少なくとも二つの単一インフォメーションを、統合される推薦インフォメーションとして取得するステップと、
前記生成ユーザのインフォメーション統合要求に基づいて、少なくとも二つの前記統合される推薦インフォメーションを組み合わせて、統合インフォメーションを構成してサーバにアップロードするステップと、を含み、
前記統合インフォメーションは、推薦情報として前記サーバにより他のユーザに提供されることを特徴とする、統合インフォメーションの生成方法。
【請求項２】
前記生成ユーザによって選択された、少なくとも二つの単一インフォメーションを、統合される推薦インフォメーションとして取得するステップの前に、
前記サーバから少なくとも一つの単一インフォメーションの説明情報を取得して、前記生成ユーザに提供するステップと、
前記生成ユーザのインフォメーション閲覧要求に基づいて、前記インフォメーション閲覧要求とマッチングする単一インフォメーションを前記生成ユーザに提供し、インフォメーション表示ページにインフォメーション追加オプションを提供するステップと、をさらに含み、
前記インフォメーション追加オプションは、対応する単一インフォメーションを、統合される推薦インフォメーションとして選択するようにトリガするためのものであることを特徴とする、請求項１に記載の方法。
【請求項３】
前記生成ユーザによって選択された少なくとも二つの単一インフォメーションを、統合される推薦インフォメーションとして取得するステップの前に、
前記生成ユーザによって入力されたウェブリンクに基づいて、前記サーバから前記ウェブリンクとマッチングする単一インフォメーションを取得するステップと、
前記ウェブリンクとマッチングする単一インフォメーションを前記生成ユーザに提供し、インフォメーション表示ページにインフォメーション追加オプションを提供するステップと、をさらに含み、
前記インフォメーション追加オプションは、対応する単一インフォメーションを、統合される推薦インフォメーションとして選択するようにトリガするためのものであることを特徴とする、請求項１に記載の方法。
【請求項４】
前記生成ユーザによって選択された少なくとも二つの単一インフォメーションを、統合される推薦インフォメーションとして取得するステップは、
前記生成ユーザによって選択された一つの単一インフォメーションを目標単一インフォメーションとして取得するステップと、
統合インフォメーションテンプレートに現在記憶されている、統合される推薦インフォメーションのインフォメーション数量を判断するステップと、
前記インフォメーション数量が前記統合インフォメーションテンプレートの記憶上限に達していないと決定された場合、前記目標単一インフォメーションを、統合される推薦インフォメーションとして、前記統合インフォメーションテンプレートに記憶するステップと、
前記インフォメーション数量が前記統合インフォメーションテンプレートの記憶上限に達したと決定された場合、前記目標単一インフォメーションを、統合される推薦インフォメーションとして選択することを断念する旨を前記生成ユーザに通知し、又は前記目標単一インフォメーションで前記統合インフォメーションテンプレートに現在記憶されているいずれかの統合される推薦インフォメーションを取り換え、生成ユーザによって通知に対して実行された操作に基づいて、前記統合インフォメーションテンプレートを対応して更新するステップと、を含むことを特徴とする、請求項１に記載の方法。
【請求項５】
前記生成ユーザのインフォメーション統合要求に基づいて、少なくとも二つの前記統合される推薦インフォメーションを組み合わせて、統合インフォメーションを構成してサーバにアップロードするステップの前に、
前記統合インフォメーションテンプレートに記憶されている少なくとも一つの統合される推薦インフォメーションに対して前記生成ユーザによって入力されたコメント情報を取得するステップ、及び/又は、
前記統合インフォメーションテンプレートに記憶されている少なくとも二つの統合される推薦インフォメーションに対して前記生成ユーザによって入力された手順調整要求を取得し、前記手順調整要求に基づいて、前記統合インフォメーションテンプレートにおける各前記統合される推薦インフォメーションの記憶手順を対応して更新するステップを含むことを特徴とする、請求項４に記載の方法。
【請求項６】
前記生成ユーザのインフォメーション統合要求に基づいて、少なくとも二つの前記統合される推薦インフォメーションを組み合わせて、統合インフォメーションを構成してサーバにアップロードするステップは、
前記生成ユーザのインフォメーション統合要求に基づいて、前記統合インフォメーションテンプレートに記憶されている少なくとも二つの前記統合される推薦インフォメーションを組み合わせて、前記統合インフォメーションを取得するステップと、
前記統合インフォメーションに前記生成ユーザのアイデンティティ識別子を追加した後、前記サーバにアップロードするステップと、を含むことを特徴とする、請求項４又は５に記載の方法。
【請求項７】
統合インフォメーションのプッシュ方法であって、
検索ユーザの情報検索要求を取得するステップと、
前記情報検索要求を少なくとも一つの統合インフォメーションとマッチングして、マッチングされた目標統合インフォメーションを取得するステップであって、前記統合インフォメーションには、少なくとも二つの単一インフォメーションが含まれるステップと、
前記目標統合インフォメーションを検索結果として前記検索ユーザに提供するステップと、を含むことを特徴とする、統合インフォメーションのプッシュ方法。
【請求項８】
前記情報検索要求を少なくとも一つの統合インフォメーションとマッチングして、マッチングされた目標統合インフォメーションを取得するステップは、
前記少なくとも一つの統合インフォメーションに含まれる各単一インフォメーションをそれぞれ前記情報検索要求とマッチングし、マッチング結果に基づいて、候補の統合インフォメーションを取得するステップと、
前記候補の統合インフォメーションに基づいて、ユーザのユーザランクを生成し、前記候補の統合インフォメーションに対して順序づけを行うステップと、
前記候補の統合インフォメーションに対する順序づけの結果に基づいて、前記目標統合インフォメーションを取得するステップと、を含むことを特徴とする、請求項７に記載の方法。
【請求項９】
前記目標統合インフォメーションを検索結果として前記検索ユーザに提供するステップの後に、
前記目標統合インフォメーションに含まれる目標単一インフォメーションに対する前記検索ユーザの選択を取得するステップと、
前記目標統合インフォメーションの生成ユーザが前記目標単一インフォメーションに対してコメントをすると決定された場合、コメント情報を前記目標単一インフォメーションのインフォメーション表示ページに強調表示するステップと、をさらに含むことを特徴とする、請求項７に記載の方法。
【請求項１０】
前記目標統合インフォメーションを検索結果として前記検索ユーザに提供するステップの後に、
前記目標統合インフォメーションの生成ユーザによってアップロードされた他の統合インフォメーションを取得するステップと、
前記他の統合インフォメーションを前記検索ユーザに提供するステップと、をさらに含むことを特徴とする、請求項７に記載の方法。
【請求項１１】
前記目標統合インフォメーションを検索結果として前記検索ユーザに提供するステップの後に、
前記検索ユーザに前記目標統合インフォメーションに対する生成ユーザの注目オプションを提供するステップをさらに含み、
前記注目オプションは、前記検索ユーザが前記目標統合インフォメーションの生成ユーザを注目するようにトリガして、前記目標統合インフォメーションの生成ユーザによってアップロードされたリアルタイムの統合インフォメーションを取得するためのものであることを特徴とする、請求項７に記載の方法。
【請求項１２】
生成ユーザによって選択された少なくとも二つの単一インフォメーションを、統合される推薦インフォメーションとして取得するインフォメーション取得モジュールと、
前記生成ユーザのインフォメーション統合要求に基づいて、少なくとも二つの前記統合される推薦インフォメーションを組み合わせて、統合インフォメーションを構成してサーバにアップロードするインフォメーション統合モジュールと、を含み、
前記統合インフォメーションは、推薦情報として前記サーバにより他のユーザに提供されることを特徴とする、統合インフォメーションの生成装置。
【請求項１３】
検索ユーザの情報検索要求を取得する要求取得モジュールと、
前記情報検索要求を少なくとも一つの統合インフォメーションとマッチングして、マッチングされた目標統合インフォメーションを取得するインフォメーションマッチングモジュールであって、前記統合インフォメーションには、少なくとも二つの単一インフォメーションが含まれるインフォメーションマッチングモジュールと、
前記目標統合インフォメーションを検索結果として前記検索ユーザに提供するインフォメーション提供モジュールと、を含むことを特徴とする、統合インフォメーションのプッシュ装置。
【請求項１４】
端末であって、
一つ又は複数のプロセッサと、
一つ又は複数のプログラムを記憶する記憶装置と、を含み、
前記一つ又は複数のプログラムが前記一つ又は複数のプロセッサにより実行される場合、前記一つ又は複数のプロセッサが、請求項１〜６のいずれかに記載の統合インフォメーションの生成方法を実現することを特徴とする、端末。
【請求項１５】
サーバであって、
一つ又は複数のプロセッサと、
一つ又は複数のプログラムを記憶する記憶装置と、を含み、
前記一つ又は複数のプログラムが前記一つ又は複数のプロセッサにより実行される場合、前記一つ又は複数のプロセッサが、請求項７〜１１のいずれかに記載の統合インフォメーションのプッシュ生成方法を実現することを特徴とする、サーバ。
【請求項１６】
コンピュータプログラムが記憶されているコンピュータ記憶媒体であって、前記プログラムがプロセッサにより実行される場合、請求項１〜６のいずれかに記載の統合インフォメーションの生成方法を実現することを特徴とする、コンピュータ記憶媒体。
【請求項１７】
コンピュータプログラムが記憶されているコンピュータ記憶媒体であって、前記プログラムがプロセッサにより実行される場合、請求項７〜１１のいずれかに記載の統合インフォメーションのプッシュ方法を実現することを特徴とする、コンピュータ記憶媒体。
【発明の詳細な説明】
【技術分野】
【０００１】
本発明の実施例は、情報処理技術分野に関し、特に、統合インフォメーションの生成方法、統合インフォメーションのプッシュ方法及びその装置、端末、サーバ、媒体に関するものである。
【背景技術】
【０００２】
現在、端末の各種アプリ（Ａｐｐｌｉｃａｔｉｏｎ、アプリケーション）又は内蔵されるアプリケーションソフトウェアのいずれにも、多かれ少なかれ様々なタイプのインフォメーション推薦が存在する。インフォメーション推薦機能は、ユーザに豊富なネットワークインフォメーション情報を提供することができ、一部のインフォメーション推薦機能は、さらに、ユーザの個別化ニーズに応じて、ユーザに所望のインフォメーション情報を継続的に提供することができる。
【０００３】
しかし、従来のインフォメーションの推薦方法には、深刻な制限が存在する。現在、インターネット業界全体において、提供される個別化のインフォメーション推薦機能は、往々にして、単にユーザの一つのインタレスト・ディメンションを根拠に、ユーザに当該インタレスト・ディメンションに関する単一インフォメーションを推薦する。また、従来のインフォメーション推薦機能において、一般的には、正規の編集者が各種インフォメーションを人力により収集し、そして、収集される各種のインフォメーション資源を基に、各種インフォメーションを選別し、あるテーマで選別された後のインフォメーションを複合インフォメーションとして形成し、統合してリリースする必要がある。
【０００４】
従来のインフォメーション推薦機能における複合インフォメーションのリリース効率は、編集者の産出レートに頼るものであるため、従来のインフォメーション推薦機能は、往々にして、大量の人件費を投入する必要があり、しかもリリース効率が低い。同時に、インフォメーションを人力により収集する方法は、インフォメーションを適時に統合し、リリースすることができないことにつながり、編集者が通常固定の勤務時間範囲内にインフォメーション情報を収集するため、従来のインフォメーション推薦機能は、各時刻を効果的にオーバラップしにくく、インフォメーション推薦機能の時効性低下を招く。なお、従来のインフォメーション推薦機能の制限が明らかであり、編集者がインフォメーションの収集及びインフォメーションの統合、リリースを行う場合、編集者自身の主観的な偏向性のある収集は、複合インフォメーションの産出上の内容制限を招きやすく、さらに、ユーザグループのインタレストターゲティングに影響を与える。
【発明の概要】
【発明が解決しようとする課題】
【０００５】
本発明の実施例は、統合インフォメーションの生成方法、統合インフォメーションのプッシュ方法及びその装置、端末、サーバ、媒体を提供し、インフォメーション推薦の効率及び時効性を向上させ、人件費を低減するとともに、インフォメーションを人力で収集することによる制限的規制を突破し、ビジネスバリューを向上させることを実現できる。
【課題を解決するための手段】
【０００６】
第１の態様は、本発明の実施例が統合インフォメーションの生成方法を提供する。前記方法は、
生成ユーザによって選択された少なくとも二つの単一インフォメーションを、統合される推薦インフォメーションとして取得するステップと、
前記生成ユーザのインフォメーション統合要求に基づいて、少なくとも二つの前記統合される推薦インフォメーションを組み合わせて、統合インフォメーションを構成してサーバにアップロードするステップと、を含み、
前記統合インフォメーションは、推薦情報として前記サーバにより他のユーザに提供される。
【０００７】
第２の態様は、本発明の実施例が統合インフォメーションのプッシュ方法をさらに提供する。前記方法は、
検索ユーザの情報検索要求を取得するステップと、
前記情報検索要求を少なくとも一つの統合インフォメーションとマッチングして、マッチングされた目標統合インフォメーションを取得するステップであって、前記統合インフォメーションには、少なくとも二つの単一インフォメーションが含まれるステップと、
前記目標統合インフォメーションを検索結果として前記検索ユーザに提供するステップと、を含む。
【０００８】
第３の態様は、本発明の実施例が統合インフォメーションの生成装置をさらに提供する。前記装置は、
生成ユーザによって選択された少なくとも二つの単一インフォメーションを、統合される推薦インフォメーションとして取得するインフォメーション取得モジュールと、
前記生成ユーザのインフォメーション統合要求に基づいて、少なくとも二つの前記統合される推薦インフォメーションを組み合わせて、統合インフォメーションを構成してサーバにアップロードするインフォメーション統合モジュールと、を含み、
前記統合インフォメーションは、推薦情報として前記サーバにより他のユーザに提供される。
【０００９】
第４の態様は、本発明の実施例が統合インフォメーションのプッシュ装置をさらに提供する、前記装置は、
検索ユーザの情報検索要求を取得する要求取得モジュールと、
前記情報検索要求を少なくとも一つの統合インフォメーションとマッチングして、マッチングされた目標統合インフォメーションを取得するインフォメーションマッチングモジュールであって、前記統合インフォメーションには、少なくとも二つの単一インフォメーションが含まれるインフォメーションマッチングモジュールと、
前記目標統合インフォメーションを検索結果として前記検索ユーザに提供するインフォメーション提供モジュールと、を含む。
【００１０】
第５の態様は、本発明の実施例が端末をさらに提供する。前記端末は、
一つ又は複数のプロセッサと、
一つ又は複数のプログラムを記憶する記憶装置と、を含み、
前記一つ又は複数のプログラムが前記一つ又は複数のプロセッサにより実行される場合、前記一つ又は複数のプロセッサが、上記に係るいずれかに記載の統合インフォメーションの生成方法を実現する。
【００１１】
第６の態様は、本発明の実施例がサーバをさらに提供する。前記サーバは、
一つ又は複数のプロセッサと、
一つ又は複数のプログラムを記憶する記憶装置と、を含み、
前記一つ又は複数のプログラムが前記一つ又は複数のプロセッサにより実行される場合、前記一つ又は複数のプロセッサが、上記に係るいずれかに記載の統合インフォメーションのプッシュ生成方法を実現する。
【００１２】
第７の態様は、本発明の実施例がコンピュータ記憶媒体をさらに提供する。前記媒体には、コンピュータプログラムが記憶され、当該プログラムがプロセッサにより実行される場合、上記に係るいずれかに記載の統合インフォメーションの生成方法を実現する。
【００１３】
第８の態様は、本発明の実施例がコンピュータ記憶媒体をさらに提供する。前記媒体には、コンピュータプログラムが記憶され、当該プログラムがプロセッサにより実行される場合、上記に係るいずれかに記載の統合インフォメーションのプッシュ方法を実現する。
【発明の効果】
【００１４】
本発明の実施例は、生成ユーザによって選択された少なくとも二つの単一インフォメーションを、統合される推薦インフォメーションとして取得し、生成ユーザのインフォメーション統合要求に基づいて、少なくとも二つの統合される推薦インフォメーションを組み合わせて、統合インフォメーションを構成してサーバにアップロードする。これにより、従来のインフォメーション推薦機能に存在する人件費が高く、効率が低く、時効性が低下し、及び制限が高いという課題を解決し、マルチ・インタレスト・ディメンションからユーザに適時に統合した複合インフォメーションを推薦して、インフォメーション内容のディメンションを拡大し、インフォメーション推薦の効率及び時効性を向上させ、人件費を低減するとともに、インフォメーションを人力で収集することによる制限的規制を突破し、ビジネスバリューを向上させることを実現できる。
【図面の簡単な説明】
【００１５】
【図１】本発明の実施例１により提供される統合インフォメーションの生成方法のフローチャートである。
【図２ａ】本発明の実施例２により提供される統合インフォメーションの生成方法のフローチャートである。
【図２ｂ】本発明の実施例２により提供される日報の生成方法の概略図である。
【図３】本発明の実施例３により提供される統合インフォメーションのプッシュ方法のフローチャートである。
【図４ａ】本発明の実施例４により提供される統合インフォメーションのプッシュ方法のフローチャートである。
【図４ｂ】本発明の実施例４により提供される生成ユーザの統合インフォメーションを閲覧し、注目する概略図である。
【図４ｃ】本発明の実施例４により提供される生成ユーザの統合インフォメーションを閲覧し、注目する概略図である。
【図５】本発明の実施例５により提供される統合インフォメーションの生成装置の概略図である。
【図６】本発明の実施例６により提供される統合インフォメーションのプッシュ装置の概略図である。
【図７】本発明の実施例７により提供される端末の構造概略図である。
【図８】本発明の実施例８により提供されるサーバの構造概略図である。
【発明を実施するための形態】
【００１６】
以下、図面及び実施例を参照して本発明についてさらに詳しく説明する。なお、ここで説明される具体的な実施例は、単なる本発明を解釈するためのものであり、本発明を限定するものではない。
【００１７】
なお、説明の便宜上、図面には、全部内容ではなく、本発明に関する一部だけが示される。例示的な実施例をさらに詳しく検討する前に言及せざるを得ないのは、一部の例示的な実施例は、フローチャートとして描画される処理又は方法として説明される。フローチャートが各操作（又はＳ）を順次処理するものとして説明されるが、そのうち、多くの操作は、並行的に、併発的に又は同時に実施することができる。また、各操作の手順は、改めて整えることができる。操作が完成する場合、前記処理は、終了されてもよいが、図面に含まれていない付加的なＳを有してもよい。前記処理は、方法、関数、規程、サブルーチン、サブプログラムなどに対応することができる。
【実施例１】
【００１８】
図１は、本発明の実施例１により提供される統合インフォメーションの生成方法のフローチャートである。本発明において、インフォメーションとは、ユーザが、これを適時に取得して利用することにより、比較的な短時間内に自分に価値をもたらすことができる情報である。本実施例は、取得される単一インフォメーションに基づいて、統合インフォメーションを構成する場合に適用する。当該方法は、統合インフォメーションの生成装置により実行することができ、当該装置は、ソフトウェア及び/又はハードウェアの方式により実現することができる。一般的には、端末に集積し、統合インフォメーション推薦機能を完成するサーバと合わせて使用することができ、当該方法は、以下のような操作を含む。
【００１９】
ステップＳ１１０：生成ユーザによって選択された少なくとも二つの単一インフォメーションを、統合される推薦インフォメーションとして取得する。
【００２０】
生成ユーザは、各インフォメーション情報を統合し、共有するユーザである。生成ユーザは、端末の関連アプリで、又は端末の他のインフォメーション取得方式により関連インフォメーションを取得することができる。例えば、生成ユーザは、端末におけるＦｅｅｄストリームにより、自分のアップデートのニーズを満足させるように提供される標準フォーマットの各インフォメーション情報を継続的に取得する。Ｆｅｅｄストリームは、データフォーマットであり、ウェブサイトは、Ｆｅｅｄストリームによりリストの形式で最新インフォメーションをユーザに伝える。ユーザは、より迅速に、より効果的に各インフォメーション情報を受け入れることができる。単一インフォメーションとは、数多くのインフォメーションのうち、一つのインフォメーション情報であり、統合される推薦インフォメーションは、生成ユーザが自身のニーズに応じて選択した少なくとも二つの単一インフォメーションである。なお、統合される推薦インフォメーションには、当該生成ユーザの多くのインタレスト・ディメンションに対応する異なるタイプのインフォメーションが含まれてもよく、当然のことながら、統合される推薦インフォメーションには、当該生成ユーザの一つのインタレスト・ディメンションに対応する複数のインフォメーションが含まれてもよい。統合される推薦インフォメーションに含まれる各単一インフォメーションのタイプは、生成ユーザによって決定される。
【００２１】
本発明の実施例において、生成ユーザは、端末におけるアプリにより複数種類の単一インフォメーションを選択してもよいし、端末に内蔵される各種アプリケーション（例えば、ブラウザ）により複数種類の単一インフォメーションを選択してもよい。なお、生成ユーザは、さらに、他の的方式により、様々なタイプの単一インフォメーションを取得することができ、本発明の実施例は、生成ユーザによって単一インフォメーションを取得する方法について限定しない。
【００２２】
ステップＳ１２０：前記生成ユーザのインフォメーション統合要求に基づいて、少なくとも二つの前記統合される推薦インフォメーションを組み合わせて、統合インフォメーションを構成してサーバにアップロードし、前記統合インフォメーションは、推薦情報として前記サーバにより他のユーザに提供される。
【００２３】
インフォメーション統合要求は、生成ユーザによって送信され、生成ユーザによって選択された複数の単一インフォメーションを統合するための要求である。統合インフォメーションは、生成ユーザによって選択された複数の統合される推薦インフォメーションを含み、サーバにより他のユーザに推薦することに用いられる。
【００２４】
本発明の実施例において、生成ユーザは、自分の興味がある単一インフォメーションを統合して、統合インフォメーションを形成し、統合インフォメーションをサーバに送信して、サーバが統合インフォメーションを推薦情報として他のユーザに推薦する。このインフォメーション推薦方法は、沈殿ユーザ（インフォメーション内容に知識の深さ及び広さが含まれることを求めるユーザ）が深い内容へのニーズを満たし、「人が人を探し、そして情報で人を探す」ことを実現する。例を挙げると、生成ユーザがある技術分野の専門家である場合、当該分野の他の当業者は、当該生成ユーザが日常整理する統合インフォメーションにより、当該分野の最新動き又は関連の技術知識を適時に把握することができる。生成ユーザが芸能界のあるスターである場合、当該スターのファンも、該スターが整理する統合インフォメーションにより、当該スターの好き嫌い、動き及び注目したホットスポットなどを把握することができる。他のユーザは、自発的に生成ユーザの注目点を検索する必要がなく、直接にサーバが推薦した生成ユーザの統合インフォメーションにより、生成ユーザが注目した動きを適時に把握することができ、「情報により人を探す」ことを実現し、統合インフォメーションにより、生成ユーザに一定のビジネスバリューをもたらす。
【００２５】
本発明の好ましい一実施例において、前記生成ユーザによって選択された少なくとも二つの単一インフォメーションを、統合される推薦インフォメーションとして取得する前に、前記サーバから少なくとも一つの単一インフォメーションの説明情報を取得して、前記生成ユーザに提供するステップと、前記生成ユーザのインフォメーション閲覧要求に基づいて、前記インフォメーション閲覧要求とマッチングする単一インフォメーションを前記生成ユーザに提供し、インフォメーション表示ページにインフォメーション追加オプションを提供するステップと、をさらに含む。前記インフォメーション追加オプションは、対応する単一インフォメーションを、統合される推薦インフォメーションとして選択するようにトリガするためのものである。
【００２６】
説明情報は、単一インフォメーションのタイトル情報、内容案内などであってもよく、単一インフォメーションの核心内容について説明することができる情報であれば、いずれも説明情報とすることができる。説明情報は、キーワード又はキーセンテンスの形式で、単一インフォメーションの核心内容を生成ユーザに表示して、生成ユーザが数多くのインフォメーションの中で、自分の興味があるインフォメーションを迅速にブラウジングし、位置判定する。インフォメーション閲覧要求は、生成ユーザが対応する単一インフォメーションをクリックすることにより生成されるものであってもよいし、生成ユーザが音声で指令を入力する方法により生成されるものであってもよい。インフォメーション表示ページは、インフォメーション閲覧要求とマッチングする単一インフォメーションの表示ページであり、インフォメーション閲覧要求とマッチングする単一インフォメーションの全部内容を含む。追加オプションは、具体的なニーズに応じて、インフォメーション表示ページの対応位置に設計する。例えば、インフォメーション表示ページの右下隅などである。
【００２７】
本発明の実施例において、端末は、サーバから、例えば、ニュースインフォメーション、エンターテインメントインフォメーション、社会インフォメーション、科学普及インフォメーション及び他の学術的インフォメーションなどの異なるタイプの複数の単一インフォメーションを取得することができる。生成ユーザは、各タイプのインフォメーションの説明情報をブラウジングすることにより、興味があるインフォメーション内容を迅速に位置判定し、インフォメーションをクリックし、又は音声入力の方法により、興味がある単一インフォメーションに対して、インフォメーション閲覧要求を送信する。サーバは、取得されるインフォメーション閲覧要求に基づいて、マッチングされる単一インフォメーションが含まれる全部の内容をインフォメーション表示ページの方式により端末に送信して表示する。生成ユーザは、インフォメーション表示ページにより単一インフォメーションを閲覧し、自身のニーズに応じて、当該単一インフォメーションを追加オプションにより、統合される推薦インフォメーションとするか否かを決定する。
【００２８】
本発明の好ましい一実施例において、前記生成ユーザによって選択された少なくとも二つの単一インフォメーションを、統合される推薦インフォメーションとして取得する前に、前記生成ユーザよって入力されたウェブリンクに基づいて、前記サーバから前記ウェブリンクとマッチングする単一インフォメーションを取得するステップと、前記ウェブリンクとマッチングする単一インフォメーションを前記生成ユーザに提供し、インフォメーション表示ページにインフォメーション追加オプションを提供するステップと、をさらに含む。前記インフォメーション追加オプションは、対応する単一インフォメーションを、統合される推薦インフォメーションとして選択するようにトリガするためのものである。
【００２９】
本発明の実施例において、生成ユーザは、直接にサーバが提供する単一インフォメーションにより関連インフォメーションを取得することができるほか、端末における他のアプリであるインフォメーションを閲覧する場合（他のアプリにおけるインフォメーション表示ページには、追加オプションの機能を設計することができない可能性がある）、関連インフォメーションのリンクをコピーすることができる。サーバは、生成ユーザによってコピーされたリンクを識別し、リンクにおけるインフォメーション情報について、大量のインフォメーションにおいて、マッチングされる単一インフォメーションを自動的に検索し収集することができる。サーバは、収集される単一インフォメーションを生成ユーザに提供し、生成ユーザは、興味がある単一インフォメーションを、統合される推薦インフォメーションとして選別することができる。単一インフォメーションの取得、収集、提供のプロセスは、編集者の関与なしに、サーバによりバックグラウンドで自動的に完成することができるので、従来のインフォメーション推薦機能に存在する人件費が高く、効率が低く、時効性が低下するなどの課題を解決する。同時に、単一インフォメーションの収集は、サーバ端が対応するアルゴリズムにより完成し、編集者が主観的な偏向性のあるインフォメーション収集を行う場合の制限問題を効果的に回避することができ、生成ユーザのインタレスト・ターゲティングの合理性を十分に保証する。
【００３０】
本発明の実施例は、生成ユーザによって選択された少なくとも二つの単一インフォメーションを、統合される推薦インフォメーションとして取得し、生成ユーザのインフォメーション統合要求に基づいて、少なくとも二つの統合される推薦インフォメーションを組み合わせて、統合インフォメーションを構成してサーバにアップロードする。これにより、従来のインフォメーション推薦機能に存在する人件費が高く、効率が低く、時効性が低下し、及び制限が高いという課題を解決し、マルチ・インタレスト・ディメンションからユーザに適時に統合した複合インフォメーションを推薦して、インフォメーション内容のディメンションを拡大し、インフォメーション推薦の効率及び時効性を向上させ、人件費を低減するとともに、インフォメーションを人力で収集することによる制限的規制突破し、ビジネスバリューを向上させることを実現できる。
【実施例２】
【００３１】
図２ａは、本発明の実施例２により提供される統合インフォメーションの生成方法のフローチャートである。本実施例は、上記実施例を基に具体化される。本実施例において、生成ユーザによって選択された少なくとも二つの単一インフォメーションを、統合される推薦インフォメーションとして取得するステップは、具体的に、前記生成ユーザによって選択された一つの単一インフォメーションを目標単一インフォメーションとして取得し、統合インフォメーションテンプレートに現在記憶されている、統合される推薦インフォメーションのインフォメーション数量を判断し、前記インフォメーション数量が前記統合インフォメーションテンプレートの記憶上限に達していないと決定された場合、前記目標単一インフォメーションを、統合される推薦インフォメーションとして、前記統合インフォメーションテンプレートに記憶し、前記インフォメーション数量が前記統合インフォメーションテンプレートの記憶上限に達したと決定された場合、前記目標単一インフォメーションを、統合される推薦インフォメーションとして選択することを断念する旨を前記生成ユーザに通知し、又は前記目標単一インフォメーションで前記統合インフォメーションテンプレートに現在記憶されているいずれかの統合される推薦インフォメーションを取り換え、生成ユーザによって通知に対して実行された操作に基づいて、前記統合インフォメーションテンプレート対応して更新する。それに応じて、本実施例の方法は、ステップＳ２１０〜ステップＳ２８０を含むことができる。
【００３２】
ステップＳ２１０：生成ユーザによって選択された一つの単一インフォメーションを目標単一インフォメーションとして取得する。
【００３３】
本発明の実施例において、ユーザの閲覧体験を考慮すると、統合インフォメーションにおける単一インフォメーションの数量が限られている。そのため、生成ユーザは、何の制限もなく、単一インフォメーションを、統合される推薦インフォメーションとして選択することができないので、生成ユーザによって一つの単一インフォメーションが選択される場合、当該単一インフォメーションを、統合される推薦インフォメーションとすることができるか否かについては、それに対してリアルタイムでの判断を行う必要がある。
【００３４】
ステップＳ２２０：統合インフォメーションテンプレートに現在記憶されている、統合される推薦インフォメーションのインフォメーション数量が、統合インフォメーションテンプレートの記憶上限に達されたか否かを判断し、「いいえ」の場合、ステップＳ２３０を実行し、「はい」の場合、ステップＳ２４０を実行する。
【００３５】
統合インフォメーションテンプレートは、統合される推薦インフォメーションを記憶する。統合インフォメーションテンプレートが記憶可能な統合される推薦インフォメーションのインフォメーション数量の上限値は、３、５であってもよく、他の正整数の数値であってもよく、実際のニーズに応じて設置することができ、本発明の実施例は、これについて限定しない。
【００３６】
それに応じて、目標単一インフォメーションを、統合される推薦インフォメーションとすることができるか否かについて判断する場合、まず、統合インフォメーションテンプレートにおける既に記憶される単一インフォメーションの数量がインフォメーション数量の上限値に達されたか否かを判断する必要がある。
【００３７】
ステップＳ２３０：前記目標単一インフォメーションを、統合される推薦インフォメーションとして前記統合インフォメーションテンプレートに記憶し、ステップＳ２５０を実行する。
【００３８】
具体的には、目標単一インフォメーションを、統合される推薦インフォメーションとすることできるか否かについて判断する際に、統合インフォメーションテンプレートにおける現在のインフォメーション数量がインフォメーション数量の上限値に達していないと決定すると、すなわち、統合インフォメーションテンプレートは、さらに、当該目標単一インフォメーションを格納することができる場合、当該目標単一インフォメーションを、統合される推薦インフォメーションとして統合インフォメーションテンプレートに記憶する。
【００３９】
ステップＳ２４０：前記目標単一インフォメーションを、統合される推薦インフォメーションとして選択するのを断念する旨を前記生成ユーザに通知し、又は前記目標単一インフォメーションで前記統合インフォメーションテンプレートに現在記憶されているいずれかの統合される推薦インフォメーションを取り換え、生成ユーザによって通知に対して実行された操作に基づいて、前記統合インフォメーションテンプレートを対応して更新し、ステップＳ２５０を実行する。
【００４０】
具体的には、目標単一インフォメーションを、統合される推薦インフォメーションとすることができるか否かについて判断する際に、統合インフォメーションテンプレートにおける現在のインフォメーション数量が既にインフォメーション数量の上限値に達したと決定された場合、実際のニーズに応じて、現在の目標単一インフォメーションを追加するのを断念するか否かを生成ユーザに通知する。又は、現在の目標単一インフォメーションで統合インフォメーションテンプレートにおける既に記憶されるいずれかの単一インフォメーションを取り換える旨を生成ユーザに通知することもできる。
【００４１】
ステップＳ２５０：前記統合インフォメーションテンプレートに記憶されている少なくとも一つの統合される推薦インフォメーションに対して前記生成ユーザによって入力されたコメント情報を取得する。
【００４２】
コメント情報は、生成ユーザが文字、表情、画像、音声、動画などの複数種類の形式により単一インフォメーションについて入力した情報であってもよい。コメント情報は、生成ユーザの自分がコメントした単一インフォメーションに対する個人的な意見及び見方を反映することができ、統合インフォメーションを他のユーザに推薦する場合、他のユーザが当該生成ユーザのあるインフォメーションに対する理解及び認識をさらに把握することができるようにする。
【００４３】
本発明の実施例において、生成ユーザが単一インフォメーションをブラウジングする場合、単一インフォメーションに対してコメント情報を入力することができる。生成ユーザが、統合される推薦インフォメーションに対してコメント情報を入力した場合、統合インフォメーションテンプレートは、デフォルトでコメント情報付きの統合される推薦インフォメーションを前に配列して、他のユーザが統合インフォメーションをブラウジングする場合、生成ユーザのコメント情報を迅速に取得することができるようにする。
【００４４】
ステップＳ２６０：前記統合インフォメーションテンプレートに記憶されている少なくとも二つの統合される推薦インフォメーションに対して前記生成ユーザによって入力され手順調整要求を取得し、前記手順調整要求に基づいて、前記統合インフォメーションテンプレートにおける各前記統合される推薦インフォメーションの記憶手順を対応して更新する。
【００４５】
手順調整要求は、生成ユーザから送信され、統合インフォメーションテンプレートにおける統合される推薦インフォメーションに対して手順調整を行うための要求である。手順調整要求は、生成ユーザが統合インフォメーションテンプレートに被統合推薦をドラッグする方式により取得されてもよく、生成ユーザが音声で入力する方式により取得されてもよい。例えば、音声「第２条を第１条に調整する」との方式により、第２条の統合される推薦インフォメーションを第１条の位置に調整する。
【００４６】
本発明の実施例において、手順調整要求に基づいて統合インフォメーションテンプレートにおける統合される推薦インフォメーションの記憶手順を調整して、生成ユーザが比較的重要であると考えるインフォメーションを統合インフォメーションの先頭位置に置くことができ、沈殿ユーザのインフォメーション取得に対するニーズを満たす。
【００４７】
なお、本発明の実施例は、ステップＳ２５０及びステップＳ２６０の手順について限定せず、同時に、ステップＳ２５０及びステップＳ２６０のいずれかを選択して実行してもよいし、ステップＳ２５０及びステップＳ２６０を一つの実施例に組み合わせて、統合される推薦インフォメーションの記憶手順の調整方法を実行してもよい。
【００４８】
ステップＳ２７０：前記生成ユーザのインフォメーション統合要求に基づいて、前記統合インフォメーションテンプレートに記憶されている少なくとも二つの前記統合される推薦インフォメーションを組み合わせて、前記統合インフォメーションを取得する。
【００４９】
具体的には、統合インフォメーションテンプレートにおける統合される推薦インフォメーションに対して記憶手順を完成した後、生成ユーザは、インフォメーション統合要求を送信して、統合される推薦インフォメーションを統合することができる。
【００５０】
ステップＳ２８０：前記統合インフォメーションに前記生成ユーザのアイデンティティ識別子を追加した後、前記サーバにアップロードする。
【００５１】
アイデンティティ識別子は、生成ユーザのアイデンティティを一義的に決定する。例えば、設定プラットフォームで登録されたアカウント情報、携帯電話番号又は端末機器番号などの情報であってもよい。前記統合インフォメーションに前記生成ユーザのアイデンティティ識別子を追加することにより、生成ユーザと上記統合インフォメーションとの間の対応関係を確立することができ、他のユーザがサーバを介して当該統合インフォメーションをブラウジングする場合、当該生成ユーザの関連情報又は当該生成ユーザが提供する他の統合インフォメーションなどをさらに取得することができる。
【００５２】
それに応じて、端末は、生成ユーザが形成する統合インフォメーションを取得した後、当該統合インフォメーションに生成ユーザのアイデンティティ識別子を追加してパッケージングし、そしてパッケージングされた統合インフォメーションをサーバにアップロードすることができる。
【００５３】
なお、各一般ユーザが誰でも自分が生成した統合インフォメーションをリリース又はアップロードすることができるとすると、サーバに少なからずのデータ記憶負荷、及び後続のデータ検索負荷をもたらすと考慮したため、本実施例の好ましい一実施形態において、一部の特別アカウントのユーザ、例えば、実名認証したオピニオンリーダー、注目度が設定される人数より大きいユーザ又は例えば、スマホ百度の百家号のユーザなどの設定される分野内のシニアユーザに対してのみ、上記統合インフォメーションの生成機能をオンにする。上記設置により、統合インフォメーションのソースを大きく向上させると同時に、統合インフォメーションの質及び数量のいずれに対して好ましい規制及び制御を行う。
【００５４】
本発明の実施例において、好ましくは、生成ユーザのアイデンティティ識別子が追加された統合インフォメーションを日報という。図２ｂは、本発明の実施例２により提供される日報の生成方法の概略図である。図２ｂに示すように、生成ユーザは、Ｆｅｅｄストリームにより複数種類のインフォメーションを取得し、複数種類のインフォメーションから選別して統合される推薦インフォメーションとすることができる。同時に、生成ユーザは、自身のニーズに応じて統合される推薦インフォメーションに対してコメントをして、そして統合される推薦インフォメーションを統合してリリースし、当該生成ユーザの日報を形成することができる。
【００５５】
なお、従来の各インフォメーション提供のアプリは、ブラウジングユーザが閲覧しているインフォメーションに対してコメントして、コメント領域に他のユーザのコメント内容を閲覧することを許容するため、日報と他の単一インフォメーションとをさらに区別するために、本実施例において、一つのブラウジングユーザが、Ｆｅｅｄストリームにより提供される多くの単一インフォメーションのうち、一つの単一インフォメーションを閲覧する場合、コメント領域に他のユーザのコメント内容を普通に閲覧することができるが、一つのブラウジングユーザが、一つの生成ユーザの日報における統合された一つの単一インフォメーションを閲覧する場合、当該生成ユーザの当該単一インフォメーションに対してコメントは、例えば、インフォメーション内容に上位表示又はコメント領域に上位表示するなど、当該単一インフォメーションに強調表示することができ、ブラウジングユーザが直接に当該インフォメーションに対する被生成ユーザの態度を知ることができ、ユーザの情報取得ニーズをさらに満たす。
【００５６】
本発明の実施例は、生成ユーザの統合インフォメーションテンプレートにおける統合される推薦インフォメーションに対して整理、更新及び順序づけを行い、統合インフォメーション内の単一インフォメーションの調整可能性を実現することができ、統合インフォメーションの内容がさらに深化され、個別化され、沈殿ユーザのインフォメーション内容の深さに対するニーズを満たす。
【実施例３】
【００５７】
図３は、本発明の実施例３により提供される統合インフォメーションのプッシュ方法のフローチャートであり、本実施例は、ユーザに統合インフォメーションをプッシュする場合に適用することができ、当該方法は、統合インフォメーションのプッシュ装置により実行することができ、当該装置は、ソフトウェア及び/又はハードウェアの方式により実現することができ、一般的には、サーバに集積し、統合インフォメーション生成機能を完成させるための端末と合わせて使用することができ、当該方法は、以下のような操作を含む。
【００５８】
ステップＳ３１０：検索ユーザの情報検索要求を取得する。
【００５９】
検索ユーザは、単一インフォメーション又は生成ユーザが生成した統合インフォメーションをブラウジングするユーザである。情報検索要求は、検索ユーザが自身の注目点に基づいて、端末でアプリ又は他のアプリケーションにより入力した、対応するインフォメーション内容を検索する要求である。本発明の実施例において、サーバが検索ユーザに対応するインフォメーションを提供する前に、まず、検索ユーザの情報検索要求を取得する必要がある。
【００６０】
ステップＳ３２０：前記情報検索要求を少なくとも一つの統合インフォメーションとマッチングして、マッチングされた目標統合インフォメーションを取得し、前記統合インフォメーションには、少なくとも二つの単一インフォメーションが含まれる。
【００６１】
本発明の実施例において、サーバが検索ユーザの情報検索要求を取得した後、この前に受け入れた生成ユーザが端末を介してアップロードした統合インフォメーションとマッチングすることができる。サーバにおける統合インフォメーションが情報検索要求とマッチングする場合、マッチングされる統合インフォメーションを目標統合インフォメーションとすることができる。なお、目標統合インフォメーションは、異なる生成ユーザが生成した統合インフォメーションであってもよい。
【００６２】
ステップＳ３３０：前記目標統合インフォメーションを検索結果として前記検索ユーザに提供する。
【００６３】
それに応じて、サーバが目標統合インフォメーションをマッチングされた後、全ての目標統合インフォメーションを検索ユーザに提供することができる。サーバは、目標統合インフォメーションと情報検索要求との関連度の降順に従って提供してもよいし、他のあらかじめ設定されるルール従って提供してもよく、本発明の実施例は、これについて限定しない。
【００６４】
本発明の実施例は、検索ユーザの情報検索要求に、マッチングされる少なくとも二つの単一インフォメーションが含まれる目標統合インフォメーションを提供することにより、従来の技術において、編集者によりインフォメーションを収集し、統合してリリースすることによるインフォメーション産出内容の制限問題を解決し、インフォメーション推薦の効率及び時効性を向上させ、人件費を低減するとともに、インフォメーションを人力で収集することによる制限的規制を突破し、ビジネスバリューを向上させることを実現できる。
【実施例４】
【００６５】
図４ａは、本発明の実施例４により提供される統合インフォメーションのプッシュ方法のフローチャートである。本実施例は、上記実施例を基に具体化されるものであり、本実施例において、前記情報検索要求を少なくとも一つの統合インフォメーションとマッチングして、マッチングされた目標統合インフォメーションを取得する。具体的には、前記少なくとも一つの統合インフォメーションに含まれる各単一インフォメーションをそれぞれ前記情報検索要求とマッチングし、マッチング結果に基づいて、候補の統合インフォメーションを取得し、前記候補の統合インフォメーションに基づいて、ユーザのユーザランクを生成し、前記候補の統合インフォメーションに対して順序づけを行い、前記候補の統合インフォメーションに対する順序づけの結果に基づいて、前記目標統合インフォメーションを取得する。それに応じて、本実施例の方法は、ステップＳ４１０〜ステップＳ４９０を含むことができる。
【００６６】
ステップＳ４１０：検索ユーザの情報検索要求を取得する。
【００６７】
ステップＳ４２０：前記少なくとも一つの統合インフォメーションに含まれる各単一インフォメーションをそれぞれ前記情報検索要求とマッチングし、マッチング結果に基づいて、候補の統合インフォメーションを取得する。
【００６８】
本発明の実施例において、統合インフォメーションには、少なくとも二つの単一インフォメーションが含まれる。統合インフォメーションにおける各単一インフォメーションが同一のタイプに属する可能性があり、異なるタイプに属する可能性もあるため、情報検索要求をマッチングする場合、統合インフォメーションに含まれる全ての単一インフォメーションをいちいち比較してマッチングする必要がある。統合インフォメーションにおける少なくとも一つの単一インフォメーションと情報検索要求とのマッチングが成功できれば、当該統合インフォメーションを候補の統合インフォメーションとすることができる。
【００６９】
ステップＳ４３０：前記候補の統合インフォメーションに基づいて、ユーザのユーザランクを生成し、前記候補の統合インフォメーションに対して順序づけを行う。
【００７０】
ユーザランクは、生成ユーザの社会的地位、生成ユーザが注目されるユーザ数、又は生成ユーザがリリースした統合インフォメーションの数量により決定することができる。ユーザランクの設置は、検索ユーザへの質の良い統合インフォメーションの提供を実現することができる。
【００７１】
ステップＳ４４０：前記候補の統合インフォメーションに対する順序づけの結果に基づいて、前記目標統合インフォメーションを取得する。
【００７２】
それに応じて、候補の統合インフォメーションに基づいてユーザのユーザランクを生成して、候補の統合インフォメーションに対して順序づけを行った後、取得される順序づけた後の統合インフォメーションを目標統合インフォメーションとして検索ユーザに提供する。例えば、順序づけの結果の最初の三つの候補の統合インフォメーションを前記目標統合インフォメーションとして選択する。これから分かるように、候補の統合インフォメーションに対して順序づけを行うことにより、検索ユーザに権威のある統合インフォメーションを直観的に提供することができる。
【００７３】
ステップＳ４５０：前記目標統合インフォメーションを検索結果として前記検索ユーザに提供する。
【００７４】
本発明の好ましい一実施例において、前記目標統合インフォメーションを検索結果として前記検索ユーザに提供した後、前記検索ユーザに前記目標統合インフォメーションに対して生成ユーザの注目オプションを提供するステップをさらに含む。前記注目オプションは、前記検索ユーザが前記目標統合インフォメーションの生成ユーザを注目することをトリガして、前記目標統合インフォメーションの生成ユーザがアップロードするリアルタイムの統合インフォメーションを取得する。
【００７５】
注目オプションは、インフォメーション閲覧ページに単独設置されるものであり、検索ユーザが興味のある生成ユーザを注目する機能を完成させる。それに応じて、検索ユーザが目標統合インフォメーションを取得した後、目標統合インフォメーションにおける一つ又は複数の統合インフォメーションに興味があり、また、興味のある統合インフォメーションに対応する生成ユーザの動きを随時把握することができると望む場合、注目オプションにより対応する生成ユーザを注目することができる。検索ユーザが生成ユーザを注目した後、生成ユーザがサーバに統合インフォメーションをアップロードさえすれば、サーバが統合インフォメーションを、当該生成ユーザを注目する検索ユーザにリアルタイムでプッシュする。このように統合インフォメーションをリアルタイムでプッシュする方式は、検索ユーザが注目する統合インフォメーションを適時に、効果的にプッシュすることができ、「情報で人を探す」という方法を実現し、検索ユーザは、自身のニーズに応じて数多くのインフォメーションに対して、大規模な検索を行う必要がなくなる。
【００７６】
図４ｂは、本発明の実施例４により提供される生成ユーザの統合インフォメーションを閲覧し、注目する概略図である。図４ｂに示すように、同様に、生成ユーザの統合インフォメーションを日報という。サーバは、Ｆｅｅｄストリームにより検索ユーザに日報を推薦することができ、検索ユーザは、サーバが推薦する日報に基づいて閲覧する。検索ユーザは、当該日報におけるインフォメーション内容が自身の注目しようとするホットスポットであると考える場合、当該日報を注目して、当該日報に対応する生成ユーザがその後にリリースする日報を継続的に取得することができる。
【００７７】
図４ｃは、本発明の実施例４により提供される生成ユーザの統合インフォメーションを閲覧し、注目する概略図である。図４ｃに示すように、同様に、生成ユーザの統合インフォメーションを日報という。検索ユーザは、端末におけるアプリケーションによりインフォメーションの情報検索要求を送信する場合、サーバは、検索ユーザの情報検索要求に基づいて検索ユーザに検索結果を送信する。検索結果には、検索ユーザの情報検索要求とマッチングする日報が含まれ、検索ユーザは、サーバが推薦した日報に基づいて閲覧し、注目することができる。
【００７８】
ステップＳ４６０：前記目標統合インフォメーションに含まれる目標単一インフォメーションに対する前記検索ユーザの選択を取得する。
【００７９】
本発明の実施例において、検索ユーザが取得するのは統合インフォメーションであるが、検索ユーザがインフォメーションを閲覧する場合、依然として、一つの統合インフォメーションに含まれる各単一インフォメーションをいちいち閲覧する必要がある。検索ユーザが統合インフォメーションにおける、ある単一インフォメーションを閲覧する場合、サーバは、目標単一インフォメーションに対する検索ユーザの選択を取得することができる。
【００８０】
ステップＳ４７０：前記目標統合インフォメーションの生成ユーザが前記目標単一インフォメーションに対してコメントをすると決定された場合、コメント情報を前記目標単一インフォメーションのインフォメーション表示ページに強調表示する。
【００８１】
本発明の実施例において、検索ユーザが選択する目標単一インフォメーションに生成ユーザのコメント情報が含まれる場合、検索ユーザの注意を喚起するために、コメント情報を強調表示することができる。例を挙げて言うと、強調表示とは、文字をハイライト表示したり、又はコメント情報に近い位置に小さいアニメーションを設置したりなどの方式で完成することができ、さらに、コメント情報を強調表示可能な他の方法を採用することができ、本発明の実施例は、これについて限定しない。コメント情報を強調表示して、検索ユーザが生成ユーザの現在のインフォメーションに対する理解を迅速に把握することができる。
【００８２】
なお、生成ユーザが単一インフォメーションに対してコメント情報を入力することができるほか、検索ユーザは、目標単一インフォメーションを閲覧する場合にも、対応するコメント情報を入力することができる。同様に、検索ユーザのコメント情報は、文字、表情、画像、音声、動画などの複数種類の情報入力形式であってもよく、本発明の実施例は、これについて限定しない。
【００８３】
ステップＳ４８０：前記目標統合インフォメーションの生成ユーザによってアップロードされた他の統合インフォメーションを取得する。
【００８４】
本発明の実施例において、サーバが検索ユーザに検索ユーザの情報検索要求にマッチングする目標統合インフォメーションを提供する場合、検索ユーザに目標統合インフォメーションの生成ユーザがアップロードする他の統合インフォメーションを提供することもできる。サーバは、このような統合インフォメーションのプッシュ方式により検索ユーザに統合インフォメーションを提供する機能を自動的に完成することができ、検索ユーザが生成ユーザを注目していない場合においても、生成ユーザが最近又は連続的にアップロードしたいくつかの統合インフォメーションを取得することができる。検索ユーザは、生成ユーザの注目点をさらに把握することにより、検索ユーザ自身が所望する、又は意気投合の生成ユーザを決定することができる。
【００８５】
ステップＳ４９０：前記他の統合インフォメーションを前記検索ユーザに提供する。
【００８６】
本発明の実施例において、検索ユーザに他の統合インフォメーションを提供して、統合インフォメーションの利用価値を拡大することができる。生成ユーザの統合インフォメーションを注目する検索ユーザの数が多い場合、生成ユーザは、さらに、統合インフォメーションのルートを介して広告又は他の商業情報をアップロードすることにより、検索ユーザが統合インフォメーション内容を取得すると同時に、関連の商業情報を受信するようにして、統合インフォメーションプッシュのビジネスバリューを提供する。
【００８７】
本発明の実施例は、検索ユーザとマッチングする目標統合インフォメーションに対して順序づけを行い、目標統合インフォメーションに含まれるコメント情報を強調表示し、及び検索ユーザに目標統合インフォメーションの生成ユーザの他の統合インフォメーションを提供する。これにより、従来の技術における検索ユーザに提供されるインフォメーションの単一性及び制限の限界を解決し、統合インフォメーションの推薦機能をさらに改善し、インフォメーション推薦の効率及び時効性を向上させ、人件費を低減するとともに、インフォメーションを人力で収集することによる制限的規制を突破し、ビジネスバリューを向上させる。
【実施例５】
【００８８】
図５は、本発明の実施例５により提供される統合インフォメーションの生成装置の概略図であり、本発明の任意の実施例により提供される統合インフォメーションの生成方法を実行することができ、実行される方法に対応する機能モジュール及び有益な効果を備える。本実施例は、取得される単一インフォメーションに基づいて、統合インフォメーションを構成する場合に適用することができる。
【００８９】
前記装置は、
生成ユーザによって選択された少なくとも二つの単一インフォメーションを、統合される推薦インフォメーションとして取得するインフォメーション取得モジュール５１０と、
前記生成ユーザのインフォメーション統合要求に基づいて、少なくとも二つの前記統合される推薦インフォメーションを組み合わせて、統合インフォメーションを構成してサーバにアップロードするインフォメーション統合モジュール５２０と、を含む。前記統合インフォメーションは、推薦情報として前記サーバにより他のユーザに提供される。
【００９０】
本発明の実施例は、生成ユーザによって選択された少なくとも二つの単一インフォメーションを、統合される推薦インフォメーションとして取得し、生成ユーザのインフォメーション統合要求に基づいて、少なくとも二つの統合される推薦インフォメーションを組み合わせて、統合インフォメーションを構成してサーバにアップロードする。これにより、従来のインフォメーション推薦機能に存在する人件費が高く、効率が低く、時効性が低下し、及び制限が高いという課題を解決し、マルチ・インタレスト・ディメンションからユーザに適時に統合した複合インフォメーションを推薦して、インフォメーション内容のディメンションを拡大し、インフォメーション推薦の効率及び時効性を向上させ、人件費を低減するとともに、インフォメーションを人力で収集することによる制限的規制を突破し、ビジネスバリューを向上をさせること実現できる。
【００９１】
好ましくは、前記装置は、前記サーバから少なくとも一つの単一インフォメーションの説明情報を取得し、前記生成ユーザに提供し、前記生成ユーザのインフォメーション閲覧要求に基づいて、前記インフォメーション閲覧要求とマッチングする単一インフォメーションを前記生成ユーザに提供し、インフォメーション表示ページにインフォメーション追加オプションを提供する第１のインフォメーション提供モジュール５３０をさらに含む。前記インフォメーション追加オプションは、対応する単一インフォメーションを、統合される推薦インフォメーションとして選択するようにトリガするためのものである。
【００９２】
好ましくは、前記装置は、前記生成ユーザによって入力されたウェブリンクに基づいて、前記サーバから前記ウェブリンクとマッチングする単一インフォメーションを取得し、前記ウェブリンクとマッチングする単一インフォメーションを前記生成ユーザに提供し、インフォメーション表示ページにインフォメーション追加オプションを提供する第２のインフォメーション提供モジュール５４０をさらに含む。前記インフォメーション追加オプションは、対応する単一インフォメーションを、統合される推薦インフォメーションとして選択するようにトリガするためのものである。
【００９３】
好ましくは、インフォメーション取得モジュール５１０は、さらに、前記生成ユーザによって選択された一つの単一インフォメーションを目標単一インフォメーションとして取得し、統合インフォメーションテンプレートに現在記憶されている統合される推薦インフォメーションのインフォメーション数量を判断し、前記インフォメーション数量が前記統合インフォメーションテンプレートの記憶上限に達していないと決定された場合、前記目標単一インフォメーションを、統合される推薦インフォメーションとして、前記統合インフォメーションテンプレートに記憶し、前記インフォメーション数量が前記統合インフォメーションテンプレートの記憶上限に達したと決定された場合、前記目標単一インフォメーションを、統合される推薦インフォメーションとして選択するのを断念する旨を前記生成ユーザに通知し、又は前記目標単一インフォメーションで前記統合インフォメーションテンプレートに現在記憶されているいずれかの統合される推薦インフォメーションを取り換え、生成ユーザによって通知に対して実行された操作に基づいて、前記統合インフォメーションテンプレートを対応して更新する。
【００９４】
好ましくは、前記装置は、前記統合インフォメーションテンプレートに記憶されている少なくとも一つの統合される推薦インフォメーションに対して前記生成ユーザによって入力されたコメント情報を取得し、及び/又は前記統合インフォメーションテンプレートに記憶されている少なくとも二つの統合される推薦インフォメーションに対して前記生成ユーザによって入力された手順調整要求を取得し、前記手順調整要求に基づいて、前記統合インフォメーションテンプレートにおける各前記統合される推薦インフォメーションの記憶手順を対応して更新する情報取得モジュール５５０をさらに含む。
【００９５】
好ましくは、インフォメーション統合モジュール５２０は、さらに、前記生成ユーザのインフォメーション統合要求に基づいて、前記統合インフォメーションテンプレートに記憶されている少なくとも二つの前記統合される推薦インフォメーションを組み合わせて、前記統合インフォメーションを取得し、前記統合インフォメーションに前記生成ユーザのアイデンティティ識別子を追加した後、前記サーバにアップロードする。
【００９６】
上記統合インフォメーションの生成装置は、本発明の任意の実施例により提供される統合インフォメーションの生成方法を実行することができ、実行される方法に対応する機能モジュール及び有益な効果を備える。本実施例に詳しく説明されていない技術的な詳細は、本発明の任意の実施例により提供される統合インフォメーションの生成方法を参照することができる。
【実施例６】
【００９７】
図６は、本発明の実施例６により提供される統合インフォメーションのプッシュ装置の概略図であり、本発明の任意の実施例により提供される統合インフォメーションのプッシュ方法を実行することができ、実行される方法に対応する機能モジュール及び有益な効果を備える。本実施例は、ユーザに統合インフォメーションをプッシュする場合に適用することができる。
【００９８】
前記装置は、
検索ユーザの情報検索要求を取得する要求取得モジュール６１０と、
前記情報検索要求を少なくとも一つの統合インフォメーションとマッチングして、マッチングされた目標統合インフォメーションを取得し、前記統合インフォメーションには、少なくとも二つの単一インフォメーションが含まれるインフォメーションマッチングモジュール６２０と、
前記目標統合インフォメーションを検索結果として前記検索ユーザに提供するインフォメーション提供モジュール６３０と、を含む。
【００９９】
本発明の実施例は、検索ユーザの情報検索要求に、マッチングされる少なくとも二つの単一インフォメーションが含まれる目標統合インフォメーションを提供する。これにより、従来の技術において、編集者によりインフォメーションを収集し、統合してリリースすることによるインフォメーション産出内容の制限問題を解決し、インフォメーション推薦の効率及び時効性を向上させ、人件費を低減するとともに、インフォメーションを人力で収集することによる制限的規制を突破し、ビジネスバリューを向上させることを実現できる。
【０１００】
好ましくは、インフォメーションマッチングモジュール６２０は、さらに、前記少なくとも一つの統合インフォメーションに含まれる各単一インフォメーションをそれぞれ前記情報検索要求とマッチングし、マッチング結果に基づいて、候補の統合インフォメーションを取得し、前記候補の統合インフォメーションに基づいて、ユーザのユーザランクを生成し、前記候補の統合インフォメーションに対して順序づけを行い、前記候補の統合インフォメーションに対する順序づけの結果に基づいて、前記目標統合インフォメーションを取得する。
【０１０１】
好ましくは、前記装置は、前記目標統合インフォメーションに含まれる目標単一インフォメーションに対する前記検索ユーザの選択を取得し、前記目標統合インフォメーションの生成ユーザが前記目標単一インフォメーションに対してコメントをすると決定された場合、コメント情報を前記目標単一インフォメーションのインフォメーション表示ページに強調表示する情報表示モジュール６４０をさらに含む。
【０１０２】
好ましくは、前記装置は、前記目標統合インフォメーションの生成ユーザによってアップロードされた他の統合インフォメーションを取得し、前記他の統合インフォメーションを前記検索ユーザに提供する第３のインフォメーション提供モジュール６５０をさらに含む。
【０１０３】
好ましくは、前記装置は、前記検索ユーザに前記目標統合インフォメーションに対して生成ユーザの注目オプションを提供するオプション提供モジュール６６０をさらに含む。前記注目オプションは、前記検索ユーザが前記目標統合インフォメーションの生成ユーザを注目することをトリガして、前記目標統合インフォメーションの生成ユーザがアップロードするリアルタイムの統合インフォメーションを取得する。
【０１０４】
上記統合インフォメーションのプッシュ装置は、本発明の任意の実施例により提供される統合インフォメーションのプッシュ方法を実行することができ、実行される方法に対応する機能モジュール及び有益な効果を備える。本実施例に詳しく説明されていない技術的な詳細は、本発明の任意の実施例により提供される統合インフォメーションのプッシュ方法を参照することができる。
【実施例７】
【０１０５】
図７は、本発明の実施例７により提供される端末の構造概略図である。図７は、本発明の実施形態を実現するための端末７１２のブロック図を示している。図７に示される端末７１２は、単なる一つの例であり、本発明の実施例の機能及び使用範囲に何らの制限をもたらしてはならない。
【０１０６】
図７に示すように、端末７１２は、汎用コンピューティングデバイスの形態で示されてもよい。端末７１２のコンポーネントとしては、限定されないが、一つ又は複数のプロセッサ７１６と、記憶装置７２８と、異なるシステムコンポーネント（記憶装置７２８とプロセッサ７１６とを含む）を接続するバス７１８と、を含む。
【０１０７】
バス７１８は、メモリバス又はメモリコントローラ、周辺バス、アクセラレーテッドグラフィックスポート、プロセッサ又は多様なバス構造のうち任意のバス構造を使用するローカルバスを含む、複数種のバス構造のうち一つ又は複数のものを表す。限定するわけではないが、例として、これらのアーキテクチャは、インダストリスタンダードアーキテクチャ（Ｉｎｄｕｓｔｒｙ  Ｓｔａｎｄａｒｄ  Ａｒｃｈｉｔｅｃｔｕｒｅ、  ＩＳＡ）バス、マイクロチャネルアーキテクチャ（Ｍｉｃｒｏ  Ｃｈａｎｎｅｌ  Ａｒｃｈｉｔｅｃｔｕｒｅ、  ＭＣＡ）バス、エンハンストＩＳＡバス、ビデオエレクトロニクススタンダーズアソシエーション（Ｖｉｄｅｏ  Ｅｌｅｃｔｒｏｎｉｃｓ  Ｓｔａｎｄａｒｄｓ  Ａｓｓｏｃｉａｔｉｏｎ、  ＶＥＳＡ）ローカルバス、及びペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔｉｏｎ、ＰＣＩ）バスを含む。
【０１０８】
端末７１２は、典型的には、多様なコンピュータシステム可読媒体を備える。これらの媒体は、端末７１２がアクセスできる任意の入手可能な媒体であってもよく、揮発性媒体及び不揮発性媒体と、リムーバブル媒体及びノンリムーバブル媒体とを含む。
【０１０９】
記憶装置７２８は、ランダムアクセスメモリ（Ｒａｎｄｏｍ  Ａｃｃｅｓｓ  Ｍｅｍｏｒｙ、  ＲＡＭ）７３０及び／又はキャッシュメモリ７３２などの揮発性メモリの形態を取るコンピュータシステム可読媒体を含んでもよい。端末７１２は、他のリムーバブル／ノンリムーバブル、揮発性／不揮発性コンピュータシステム記憶媒体をさらに含んでもよい。例示だけであるが、ストレージシステム７３４は、ノンリムーバブル、不揮発性磁気媒体（図７に示されていないが、通常「ハードドライブ」と称される）に対して読み出し及び書き込みをするために用いることができる。図７に示されていないが、リムーバブル、不揮発性磁気ディスク（例えば、「フロッピーディスク」）に対して読み出し及び書き込みをするための磁気ディスクドライブ、及びリムーバブル、不揮発性光学ディスク（例えば、シーディーロム（Ｃｏｍｐａｃｔ  Ｄｉｓｃ  Ｒｅａｄ  Ｏｎｌｙ  Ｍｅｍｏｒｙ、  ＣＤ−ＲＯＭ）、ディーブイディーロム（Ｄｉｇｉｔａｌ  Ｖｉｄｅｏ  Ｄｉｓｃ  Ｒｅａｄ  Ｏｎｌｙ  Ｍｅｍｏｒｙ、ＤＶＤ−ＲＯＭ）又は他の光学媒体）に対して読み出し及び書き込みをするための光学ディスクドライブを提供することができる。そのような場合、各ドライブは、一つ又は複数のデータメディアインターフェイスによりバス７１８に接続することがきる。記憶装置７２８は、本発明の各実施例に記載の機能を実行するように構成されているプログラムモジュールのセット（例えば、少なくとも一つ）を有する少なくとも一つのプログラム製品を含んでもよい。
【０１１０】
プログラムモジュール７２６のセット（少なくとも一つ）を有するプログラム７３６は、例えば、記憶装置７２８に記憶されてもよく、限定されないが、このようなプログラムモジュール７２６は、オペレーティングシステム、一つ又は複数のアプリケーションプログラム、他のプログラムモジュール及びプログラムデータを含み、これらの例のそれぞれ又は何らかの組み合わせには、ネットワーキング環境の実装が含まれる可能性がある。プログラムモジュール７２６は、通常本発明に記載の実施例における機能及び／又は方法を実行する。
【０１１１】
端末７１２は、一つ又は複数の外部デバイス７１４（例えば、キーボードやポインティングデバイス、ディスプレイ７２４など）と通信してもよいし、ユーザが端末７１２とインタラクションすることを可能にする一つ又は複数のデバイスと通信してもよく、及び／又は端末７１２が一つ又は複数の他のコンピューティングデバイスと通信することを可能にする任意のデバイス（例えば、ネットワークカード、モデムなど）と通信する。そのような通信は、入力／出力（Ｉ／Ｏ）インターフェイス７２２を介して行うことができる。また、端末７１２は、ネットワークアダプタ７２０を介して、一つ又は複数のネットワーク（例えば、ローカルエリアネットワーク（Ｌｏｃａｌ  Ａｒｅａ  Ｎｅｔｗｏｒｋ、  ＬＡＮ）、ワイドエリアネットワーク（Ｗｉｄｅ  Ａｒｅａ  Ｎｅｔｗｏｒｋ、ＷＡＮ）、及び／又はパブリックネットワーク、例えば、インターネット）と通信できる。図に示すように、ネットワークアダプタ７２０は、バス７１８を介して、端末７１２の他のモジュールと通信する。なお、図示されていないが、他のハードウェア及び／又はソフトウェアモジュールを端末７１２と組み合わせて使用することができ、限定されないが、マイクロコードやデバイスドライバ、冗長化処理ユニット、外部ディスクドライブアレイ、ディスクアレイ（Ｒｅｄｕｎｄａｎｔ  Ａｒｒａｙｓ  ｏｆ  Ｉｎｄｅｐｅｎｄｅｎｔ  Ｄｉｓｋｓ、  ＲＡＩＤ）システム、テープドライバ、データアーカイバルストレージシステムなどを含む。
【０１１２】
プロセッサ７１６は、記憶装置７２８に記憶されるプログラムを実行することにより、多様な機能アプリケーション及びデータ処理を実行し、例えば、本発明の上記実施例により提供される統合インフォメーションの生成方法を実現する。
【０１１３】
前記端末により、生成ユーザによって選択された少なくとも二つの単一インフォメーションを、統合される推薦インフォメーションとして取得し、生成ユーザのインフォメーション統合要求に基づいて、少なくとも二つの統合される推薦インフォメーションを組み合わせて、統合インフォメーションを構成してサーバにアップロードする。これにより、従来のインフォメーション推薦機能に存在する人件費が高く、効率が低く、時効性が低下し、及び制限が高いという課題を解決し、マルチ・インタレスト・ディメンションからユーザに適時に統合した複合インフォメーションを推薦して、インフォメーション内容のディメンションを拡大し、インフォメーション推薦の効率及び時効性を向上させ、人件費を低減するとともに、インフォメーションを人力で収集することによる制限的規制を突破し、ビジネスバリューを向上させることを実現できる。
【実施例８】
【０１１４】
図８は、本発明の実施例８により提供されるサーバの構造概略図である。図８は、本発明の実施形態を実現するためのサーバ８１２のブロック図を示している。図８に示されるサーバ８１２は、単なる一つの例であり、本発明の実施例の機能及び使用範囲に何らの制限をもたらしてはならない。
【０１１５】
図８に示すように、サーバ８１２は、汎用コンピューティングデバイスの形態で示されてもよい。サーバ８１２のコンポーネントとしては、限定されないが、一つ又は複数のプロセッサ８１６と、記憶装置８２８と、異なるシステムコンポーネント（記憶装置８２８とプロセッサ８１６とを含む）を接続するバス８１８と、を含む。
【０１１６】
バス８１８は、メモリバス又はメモリコントローラ、周辺バス、アクセラレーテッドグラフィックスポート、プロセッサ又は多様なバス構造のうち任意のバス構造を使用するローカルバスを含む、複数種のバス構造のうち一つ又は複数のものを表す。限定するわけではないが、例として、これらのアーキテクチャは、インダストリスタンダードアーキテクチャ（Ｉｎｄｕｓｔｒｙ  Ｓｔａｎｄａｒｄ  Ａｒｃｈｉｔｅｃｔｕｒｅ、ＩＳＡ）バス、マイクロチャネルアーキテクチャ（Ｍｉｃｒｏ  Ｃｈａｎｎｅｌ  Ａｒｃｈｉｔｅｃｔｕｒｅ、ＭＣＡ）バス、エンハンストＩＳＡバス、ビデオエレクトロニクススタンダーズアソシエーション（Ｖｉｄｅｏ  Ｅｌｅｃｔｒｏｎｉｃｓ  Ｓｔａｎｄａｒｄｓ  Ａｓｓｏｃｉａｔｉｏｎ、  ＶＥＳＡ）ローカルバス、及びペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔｉｏｎ、  ＰＣＩ）バスを含む。
【０１１７】
サーバ８１２は、典型的には、多様なコンピュータシステム可読媒体を備える。これらの媒体は、サーバ８１２がアクセスできる任意の入手可能な媒体であってもよく、揮発性媒体及び不揮発性媒体と、リムーバブル媒体及びノンリムーバブル媒体とを含む。
【０１１８】
記憶装置８２８は、ランダムアクセスメモリ（Ｒａｎｄｏｍ  Ａｃｃｅｓｓ  Ｍｅｍｏｒｙ、ＲＡＭ）８３０及び／又はキャッシュメモリ８３２などの揮発性メモリの形態を取るコンピュータシステム可読媒体を含んでもよい。サーバ８１２は、他のリムーバブル／ノンリムーバブル、揮発性／不揮発性コンピュータシステム記憶媒体をさらに含んでもよい。例示だけであるが、ストレージシステム８３４は、ノンリムーバブル、不揮発性磁気媒体（図８に示されていないが、通常「ハードドライブ」と称される）に対して読み出し及び書き込みをするために用いることができる。図８に示されていないが、リムーバブル、不揮発性磁気ディスク（例えば、「フロッピーディスク」）に対して読み出し及び書き込みをするための磁気ディスクドライブ、及びリムーバブル、不揮発性光学ディスク（例えば、シーディーロム（Ｃｏｍｐａｃｔ  Ｄｉｓｃ  Ｒｅａｄ  Ｏｎｌｙ  Ｍｅｍｏｒｙ、ＣＤ−ＲＯＭ）、ディーブイディーロム（Ｄｉｇｉｔａｌ  Ｖｉｄｅｏ  Ｄｉｓｃ  Ｒｅａｄ  Ｏｎｌｙ  Ｍｅｍｏｒｙ、ＤＶＤ−ＲＯＭ）又は他の光学媒体）に対して読み出し及び書き込みをするための光学ディスクドライブを提供することができる。そのような場合、各ドライブは、一つ又は複数のデータメディアインターフェイスによりバス８１８に接続することがきる。記憶装置８２８は、本発明の各実施例に記載の機能を実行するように構成されているプログラムモジュールのセット（例えば、少なくとも一つ）を有する少なくとも一つのプログラム製品を含んでもよい。
【０１１９】
プログラムモジュール８２６のセット（少なくとも一つ）を有するプログラム８３６は、例えば、記憶装置８２８に記憶されてもよく、限定されないが、このようなプログラムモジュール８２６は、オペレーティングシステム、一つ又は複数のアプリケーションプログラム、他のプログラムモジュール及びプログラムデータを含み、これらの例のそれぞれ又は何らかの組み合わせには、ネットワーキング環境の実装が含まれる可能性がある。プログラムモジュール８２６は、通常本発明に記載の実施例における機能及び／又は方法を実行する。
【０１２０】
サーバ８１２は、一つ又は複数の外部デバイス８１４（例えば、キーボードやポインティングデバイス、ディスプレイ８２４など）と通信してよいし、ユーザがサーバ８１２とインタラクションすることを可能にする一つ又は複数のデバイスと通信してもよく、及び／又はサーバ８１２が一つ又は複数の他のコンピューティングデバイスと通信することを可能にする任意のデバイス（例えば、ネットワークカード、モデムなど）と通信する。そのような通信は、入力／出力（Ｉ／Ｏ）インターフェイス８２２を介して行うことができる。また、サーバ８１２は、ネットワークアダプタ８２０を介して、一つ又は複数のネットワーク（例えば、ローカルエリアネットワーク（Ｌｏｃａｌ  Ａｒｅａ  Ｎｅｔｗｏｒｋ、ＬＡＮ）、ワイドエリアネットワーク（Ｗｉｄｅ  Ａｒｅａ  Ｎｅｔｗｏｒｋ、ＷＡＮ）、及び／又はパブリックネットワーク、例えば、インターネット）と通信できる。図に示すように、ネットワークアダプタ８２０は、バス８１８を介して、サーバ８１２の他のモジュールと通信する。なお、図示されていないが、他のハードウェア及び／又はソフトウェアモジュールをサーバ８１２と組み合わせて使用することができ、限定されないが、マイクロコードやデバイスドライバ、冗長化処理ユニット、外部ディスクドライブアレイ、ディスクアレイ（Ｒｅｄｕｎｄａｎｔ  Ａｒｒａｙｓ  ｏｆ  Ｉｎｄｅｐｅｎｄｅｎｔ  Ｄｉｓｋｓ、  ＲＡＩＤ）システム、テープドライバ、データアーカイバルストレージシステムなどを含む。
【０１２１】
プロセッサ８１６は、記憶装置８２８に記憶されるプログラムを実行することにより、多様な機能アプリケーション及びデータ処理を実行し、例えば、本発明の上記実施例により提供される統合インフォメーションのプッシュ方法を実現する。
【０１２２】
前記サーバにより、検索ユーザの情報検索要求に、マッチングされる少なくとも二つの単一インフォメーションが含まれる目標統合インフォメーションを提供することで、従来の技術において、編集者によりインフォメーションを収集し、統合してリリースすることによるインフォメーション産出内容の制限問題を解決して、インフォメーション推薦の効率及び時効性を向上させ、人件費を低減するとともに、インフォメーションを人力で収集することによる制限的規制を突破し、ビジネスバリューを向上させることを実現できる。
【実施例９】
【０１２３】
本発明の実施例９は、コンピュータプログラムが記憶されるコンピュータ記憶媒体をさらに提供する。前記コンピュータプログラムは、コンピュータプロセッサにより実行される場合、本発明の上記実施例のいずれかに記載の統合インフォメーションの生成方法を実行する。
【０１２４】
本発明の実施例のコンピュータ記憶媒体は、一つ又は複数のコンピュータ読み取り可能な媒体の任意の組み合わせを採用することができる。コンピュータ読み取り可能な媒体は、コンピュータ読み取り可能な信号媒体、或いはコンピュータ読み取り可能な記憶媒体であってもよい。コンピュータ読み取り可能な媒体は、例えば、電子、磁気、光、電磁気、赤外線、又は半導体のシステム、装置又は器材であってもよく、或いは上記の任意の組み合わせであってもよいがこれらに限定されない。コンピュータ読み取り可能な記憶媒体のより具体的な例（非網羅的なリスト）には、一つ又は複数の導線を有する電気的接続、ポータブルコンピュータディスク、ハードディスク、ランダムアクセスメモリ（ＲＡＭ）、読み取り専用メモリ（Ｒｅａｄ  Ｏｎｌｙ  Ｍｅｍｏｒｙ、ＲＯＭ）、消去可能プログラマブル読み取り専用メモリ（（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）又はフラッシュメモリ）、光ファイバ、コンパクトディスク読み出し専用メモリ（ＣＤ-ＲＯＭ）、光記憶装置、磁気記憶装置、又は上記の任意の適切な組み合わせが含まれる。本書類において、コンピュータ読み取り可能な記憶媒体は、プログラムを包含するか又は記憶した任意の有形媒体であってもよく、当該プログラムは、コマンド実行システム、装置又は器材により使用され、或いはそれらに組み合わせて使用されることが可能である。
【０１２５】
コンピュータ読み取り可能なの信号媒体は、ベースバンド中に、又は搬送波の一部として伝播するデータ信号を含むことができ、それにはコンピュータ読み取り可能なのプログラムコードを搭載する。この伝播するデータ信号は様々な形式を採用することができ、電磁信号、光信号又は上記の任意の適切な組み合わせを含むがこれらに限定されない。コンピュータ読み取り可能なの信号媒体は、さらにコンピュータ読み取り可能な記憶媒体以外のいかなるコンピュータ読み取り可能な媒体であってもよく、当該コンピュータ読み取り可能な媒体は、コマンド実行システム、装置又は器材により使用され、或いはそれらに組み合わせて使用されるプログラムを送信、伝播又は伝送することができる。
【０１２６】
コンピュータ読み取り可能な媒体に包含されるプログラムコードは、いかなる適切な媒体を用いても伝送することができ、ワイヤレス、ケーブル、光ケーブル、無線周波数（Ｒａｄｉｏ  Ｆｒｅｑｕｅｎｃｙ、  ＲＦ）など、或いは上記の任意の適切な組み合わせを含むがこれらに限定されない。
【０１２７】
本発明の動作を実行するためのコンピュータプログラムコードは、一つ又は複数のプログラミング言語又はその組み合わせにより作成することができ、前記プログラミング言語には、例えば、Ｊａｖａ（登録商標）、Ｓｍａｌｌｔａｌｋ、Ｃ＋＋といったプロジェクト指向のプログラミング言語を含み、「Ｃ」言語又は同様のプログラミング言語といった従来の手続き型プログラミング言語をさらに含む。プログラムコードは、完全にユーザーコンピュータに実行しても、部分的にユーザーコンピュータに実行しても、独立するソフトウェアパッケージとして実行しても、一部をユーザーコンピュータに、一部をリモートコンピュータに実行しても、又は完全にリモートコンピュータ又はサーバに実行してもよい。リモートコンピュータに関する状況においては、リモートコンピュータは、ローカルネットワーク（ＬＡＮ）又は広域ネットワーク（ＷＡＮ）を含む任意種類のインターネットを介して、ユーザーコンピュータへ接続することができ、或いは、外部コンピュータ（例えば、インターネットサービスプロバイダを利用してインターネットを介して接続する）へ接続することもできる。
【実施例１０】
【０１２８】
本発明の実施例１０は、コンピュータプログラムが記憶されるコンピュータ記憶媒体をさらに提供する。前記コンピュータプログラムは、コンピュータプロセッサにより実行される場合、本発明の上記実施例のいずれかに記載の統合インフォメーションのプッシュ方法を実行する。
【０１２９】
本発明の実施例のコンピュータ記憶媒体は、一つ又は複数のコンピュータ読み取り可能な媒体の任意の組み合わせを採用することができる。コンピュータ読み取り可能な媒体は、コンピュータ読み取り可能な信号媒体、或いはコンピュータ読み取り可能な記憶媒体であってもよい。コンピュータ読み取り可能な媒体は、例えば、電子、磁気、光、電磁気、赤外線、又は半導体のシステム、装置又は器材であってもよく、或いは上記の任意の組み合わせであってもよいがこれらに限定されない。コンピュータ読み取り可能な記憶媒体のより具体的な例（非網羅的なリスト）には、一つ又は複数の導線を有する電気的接続、ポータブルコンピュータディスク、ハードディスク、ランダムアクセスメモリ（ＲＡＭ）、読み取り専用メモリ（Ｒｅａｄ  Ｏｎｌｙ  Ｍｅｍｏｒｙ、  ＲＯＭ）、消去可能プログラマブル読み取り専用メモリ（（Ｅｒａｓａｂｌｅ  Ｐｒｏｇｒａｍｍａｂｌｅ  Ｒｅａｄ  Ｏｎｌｙ  Ｍｅｍｏｒｙ、ＥＰＲＯＭ）又はフラッシュメモリ）、光ファイバ、コンパクトディスク読み出し専用メモリ（ＣＤ-ＲＯＭ）、光記憶装置、磁気記憶装置、又は上記の任意の適切な組み合わせが含まれる。本書類において、コンピュータ読み取り可能な記憶媒体は、プログラムを包含するか又は記憶した任意の有形媒体であってもよく、当該プログラムは、コマンド実行システム、装置又は器材により使用され、或いはそれらに組み合わせて使用されることが可能である。
【０１３０】
コンピュータ読み取り可能なの信号媒体は、ベースバンド中に、又は搬送波の一部として伝播するデータ信号を含むことができ、それにはコンピュータ読み取り可能なのプログラムコードを搭載する。この伝播するデータ信号は様々な形式を採用することができ、電磁信号、光信号又は上記の任意の適切な組み合わせを含むがこれらに限定されない。コンピュータ読み取り可能なの信号媒体は、さらにコンピュータ読み取り可能な記憶媒体以外のいかなるコンピュータ読み取り可能な媒体であってもよく、当該コンピュータ読み取り可能な媒体は、コマンド実行システム、装置又は器材により使用され、或いはそれらに組み合わせて使用されるプログラムを送信、伝播又は伝送することができる。
【０１３１】
コンピュータ読み取り可能な媒体に包含されるプログラムコードは、いかなる適切な媒体を用いても伝送することができ、ワイヤレス、ケーブル、光ケーブル、無線周波数（Ｒａｄｉｏ
Ｆｒｅｑｕｅｎｃｙ、ＲＦ）など、或いは上記の任意の適切な組み合わせを含むがこれらに限定されない。
【０１３２】
本発明の動作を実行するためのコンピュータプログラムコードは、一つ又は複数のプログラミング言語又はその組み合わせにより作成することができ、前記プログラミング言語には、例えば、Ｊａｖａ（登録商標）、Ｓｍａｌｌｔａｌｋ、Ｃ＋＋といったプロジェクト指向のプログラミング言語を含み、「Ｃ」言語又は同様のプログラミング言語といった従来の手続き型プログラミング言語をさらに含む。プログラムコードは、完全にユーザーコンピュータに実行しても、部分的にユーザーコンピュータに実行しても、独立するソフトウェアパッケージとして実行しても、一部をユーザーコンピュータに、一部をリモートコンピュータに実行しても、又は完全にリモートコンピュータ又はサーバに実行してもよい。リモートコンピュータに関する状況においては、リモートコンピュータは、ローカルネットワーク（ＬＡＮ）又は広域ネットワーク（ＷＡＮ）を含む任意種類のインターネットを介して、ユーザーコンピュータへ接続することができ、或いは、外部コンピュータ（例えば、インターネットサービスプロバイダを利用してインターネットを介して接続する）へ接続することもできる。
【０１３３】
なお、以上は、本発明の好ましい実施例及び運用される技術的原理に過ぎない。当業者であれば、本発明がここで記載される特定の実施例に限定されないことが分かるはずである。当業者にとって、本発明の保護範囲を逸脱せずに、種々の明らかな変化、新たな調整及び取り換えを行うことができる。したがって、上記実施例により本発明について比較的詳細に説明したが、本発明は、上記実施例のみに限定されず、本発明の構想から逸脱しない場合、より多くの他の均等実施例をさらに含んでもよく、本発明の範囲は、添付の特許請求の範囲によって決定される。
【図１】
2019164748.tif 000003
【図２ａ】
2019164748.tif 000004
【図２ｂ】
2019164748.tif 000005
【図３】
2019164748.tif 000006
【図４ａ】
2019164748.tif 000007
【図４ｂ】
2019164748.tif 000008
【図４ｃ】
2019164748.tif 000009
【図５】
2019164748.tif 000010
【図６】
2019164748.tif 000011
【図７】
2019164748.tif 000012
【図８】
2019164748.tif 000013